Podtech/llm-jp-corpus-v4-ja_patent huggingface dataset:
(57)【要約】      （修正有）【課題】立体映像を録画、鑑賞できるように、レンズが２個ついたビデオカメラ、レンズが２個ついた携帯電話及び再生グラスを提供する。【解決手段】ビデオカメラにレンズを２個設け、独立かつ同時に録画できるようにした３Ｄビデオカメラ、携帯電話にレンズを２個設け、独立かつ同時に録画できるようにした３Ｄビデオカメラ付き携帯電話及び３Ｄビデオカメラで撮影した２種類の映像を、左右の液晶画面２で独立かつ同時に再生できる３Ｄ再生グラスを特徴とする。【選択図】図３
2005006266.tif 000002
【特許請求の範囲】
【請求項１】
ビデオカメラにレンズ（１）を２個設け、独立かつ同時に録画できるようにした３Ｄビデオカメラ。
【請求項２】
携帯電話にレンズ（１）を２個設け、独立かつ同時に録画できるようにした３Ｄビデオカメラ付き携帯電話。
【請求項３】
請求項１又は請求項２のビデオカメラで撮影した２種類の映像を、左右の液晶モニターで独立かつ同時に再生する３Ｄ再生グラス。
【請求項４】
請求項１又は請求項２のビデオカメラと請求項３の再生グラスの組み合わせ。
【発明の詳細な説明】
【０００１】
【発明の属する技術分野】
この発明は、立体映像を撮影するビデオカメラ及びその映像を再生する再生グラスに関するものである。
【０００２】
【従来の技術】
従来、ビデオカメラは、レンズが１個であったため、平面映像しか撮影できなかった。また、再生装置も１個のレンズで撮影した映像を再生するモニターが中心であった。
【０００３】
【発明が解決しようとする課題】
これは、次のような欠点があった。
１個のレンズで撮影した映像は、平面映像であるため、遠近感がなく、臨場感に欠けていた。また、様々な記録映像としても、遠近距離のデータが欠落していた。
本発明は、以上のような欠点をなくすためになされたものである。
【０００４】
【課題を解決するための手段】
ビデオカメラにレンズを２個設け、独立かつ同時に録画できるようにし、各々の映像を左右の目で独立かつ同時に見られるようにする。
本発明は、以上の構成よりなる３Ｄビデオカメラ、３Ｄビデオカメラ付き携帯電話及び３Ｄ再生グラスである。
【０００５】
【発明の実施の形態】
以下、本発明の実施の形態について説明する。
ビデオカメラ又は携帯電話に、両目の間隔程度の距離を離してレンズを２個設け、独立かつ同時に録画できるようにする。各々のレンズで録画した映像を、独立かつ同時に再生できるように、再生グラスの左右の液晶画面に独立して入力できるようにする。
本発明は、以上のような構造で、３Ｄ再生グラスをかけて立体映像を鑑賞する。
【０００６】
【発明の効果】
立体映像を録画、再生できるので、遠近感があり、臨場感あふれる映像を鑑賞できる。また、遠近距離が記録できるので、様々な記録映像としての価値が高まる。
【図面の簡単な説明】
【図１】本発明の３Ｄビデオカメラの斜視図である。
【図２】本発明の３Ｄビデオカメラ付き携帯電話の正面図及び背面図である。
【図３】本発明の３Ｄ再生グラスの正面図である。
【符号の説明】
１  レンズ
２  液晶画面
【図１】
2005006266.tif 000003
【図２】
2005006266.tif 000004
【図３】
2005006266.tif 000005
(57)【要約】      （修正有）【課題】有底の集水桝に於いて、平面状の外形寸法を等しくしながら開口部寸法に対して内部寸法を拡大構成する構造を提供する。【解決手段】集水桝３を製作する型枠構造に於いて、製品内側の底部面及び側壁面を形成する定番８に取付けた下型の側壁面四面にそれぞれ独立した４個の凹部６を形成する捨型１２を着脱自在に組込み、型枠組立後材料コンクリートを注入して養生後、外壁面を形成する外枠１０を外し、前記４個の凹部６を構成する捨型１２を製品コンクリート中に残置して該製品コンクリートを前記下型から脱型し、その後に捨型１２を脱型して製品とする構成とする。【選択図】図６
2005171743.tif 000002
【特許請求の範囲】
【請求項１】
集水桝を製作する型枠構造に於いて、製品内側の底部面及び側壁面を形成する定番に取付けた下型の側壁面四面にそれぞれ独立した４個の凹部を形成する捨型を着脱自在に組込んでなるものであり、型枠組立後材料コンクリートを注入して養生後、外壁面を形成する外枠を外し、前記４個の凹部を構成する捨型を製品コンクリート中に残置して該製品コンクリートを前記下型から脱型し、その後に捨型を脱型して製品とすることを特徴とする集水桝。
【請求項２】
有底の上部が開口する函体をなすコンクリート製集水桝に於いて、外周には模様以外の凹凸を有せず、内周四面の側壁に上部の一部を除いて略全面に亘って凹部を設けてなることを特徴とする請求項１に記載の集水桝。
【発明の詳細な説明】
【発明の詳細な説明】
【産業上の利用分野】
【０００１】  本発明は、複数の側溝の集合端に構成する集水桝に於いて、在来の外形寸法を維持しながら内部容積を拡大して集水処理能力を高めてなる製品に係る。
【背景技術】
【０００２】  従来、外周側壁に凹部を設けてなる構成があり、更に、無底で内周側壁に凹部を設けてなる構成がある。
【発明が解決しようとする課題】
【０００３】  本発明の目的とするところは、有底の集水桝に於いて、平面状の外形寸法を等しくしながら開口部寸法に対して内部寸法を拡大構成する構造を提供することを解決すべき技術的課題とする。
【課題を解決するための手段】
【０００４】  上記課題を解決するための技術的手段は、集水桝を製作する型枠構造に於いて、製品内側の底部面及び側壁面を形成する定番に取付けた下型の側壁面四面にそれぞれ独立した４個の凹部を形成する捨型を着脱自在に組込んでなるものであり、型枠組立後材料コンクリートを注入して養生後、外壁面を形成する外枠を外し、前記４個の凹部を構成する捨型を製品コンクリート中に残置して該製品コンクリートを前記下型から脱型し、その後に捨型を脱型して製品とするものである。
【作用】
【０００５】  本発明の作用を説明すると、コンクリート製品を製作する型枠構造に於いて、アンダーカット構造の形成は困難とされているが、製品に残置する捨型を使用することで解決するものであり、これにより開閉する蓋体を載置する開口部開口寸法より大なる内部寸法を得るものであり、更に、有底にすることにより建設現場に於いて無駄な作業を要することなく、止水性能の確保に資するものである。
【実施例】
【０００６】  本発明の実施例を図面に基ずいて説明すると、図１に於いて１は開閉する蓋体、２は受枠、３は上面に開口部４及び下部を有底５とするコンクリート製集水桝を示し、該集水桝３の内周各壁面には４個の凹部６を構成するものであり、図２は図１から蓋体１及び受枠２を除して一部断面斜視図としたもので、７は該受枠２を前記コンクリート製集水桝３に固定するネジ止め部を示すものである。図３から図６は該コンクリート製集水桝３を製造する工程に於ける型枠の態様を説明するものであり、８は定番、９は製品の外壁面を形成する外枠１０を定番８に回動自在に取付けるピンヒンジ、１１は図５で示す如く内周壁面部１１１及び底面部１１２からなり定番８に固定取付けられた下型、尚、底面部１１２には当板１１２ａを取付けるものであり、１２は舌片１２１を有し、前記凹部６を形成するための捨型を示すもの、図３は型枠組立後材料コンクリートを注入した状態を示すものであり、図４はコンクリート養生後外枠１０を矢印Ａに開いた状態を示すものであり、図５は捨型１２を製品コンクリート製集水桝３の中に残置して前記下型１１から矢印Ｂに脱型した状態を示し、図６に於いて、上下反転後捨型１２を製品コンクリート製集水桝３から矢印Ｃにばらばらに取出して作業を完成とするものである。尚、前記する図５で示す底面部１１２の当板１１２ａと図６に示す捨型１２の舌片１２１はお互いに入れ子をなして該捨型１２の位置決めを正確に行うと共に形成する製品底面に段部の生成を防ぐものである。
【発明の効果】
【０００７】  以上の如く本発明によれば、外的因子による制約条項により外形寸法に制約を受ける集水桝に於いて、桝内部の寸法を拡大することが出来るため集水能力を増大することを得、更に、対接する側溝、排水管に連通する横開口穴を切断開口するに際し切断断面厚みを減じて作業を容易とし、更に、その接合面に有害となる凹凸面が外周に無く、隙間の処理が容易となり、有用性高いものである。
【図面の簡単な説明】
【図１】  本発明を実施した集水桝蓋とコンクリート製集水桝を合体した正面断面図。
【図２】  図１に於いて集水桝蓋部分を除し、一部断面とした斜視図。
【図３】  型枠組立後材料コンクリートを注入した状態を示す正面断面図。
【図４】  コンクリート養生後外枠１０を矢印Ａに開いた状態を示す正面断面図。
【図５】  捨型１２を製品コンクリート製集水桝３の中に残置して前記下型１１から脱型した状態を示す正面断面図。
【図６】  捨型１２を製品コンクリート製集水桝３から取出した状態を示す正面断面図。
【符号の説明】
１、    蓋体                          ７、    ネジ止部
２、    受枠                          ８、    定番
３、    コンクリート製集水桝          ９、    ピンヒンジ
４、    開口部                      １０      外枠
５、    有底部                      １１      下型
６、    凹部                        １２      捨型
【図１】
2005171743.tif 000003
【図２】
2005171743.tif 000004
【図３】
2005171743.tif 000005
【図４】
2005171743.tif 000006
【図５】
2005171743.tif 000007
【図６】
2005171743.tif 000008
(57)【要約】【課題】  浴室の洗い場に設けられた排水口の排水蓋には、毛ごみ等が排水蓋の排水間隙や排水孔を塞いでしまい、その毛ごみ等を除去する際には、手で毟りとったりして非衛生的あった。その欠点をのぞくのが目的であった。【解決手段】  シート１の中央に設けられた穴２に、良通水性の水切り袋３を取付けた毛ごみ取りシートを、浴室排水口に配設して、水切り袋内に収容した毛ごみ等を毛ごみ取りシートごと外部に棄捨てするように構成されている。【選択図】  図１
2005171740.tif 000002
【特許請求の範囲】
【請求項１】
リング状又は、その用途に応じたシートの中央に穴をあけ、そこに良通水性の水切り袋を取付けた、毛ごみ取りシート。
【発明の詳細な説明】
【発明の詳細な説明】
【発明に属する技術分野】
【０００１】  本発明は、浴室洗い場等の排水口に毛ごみ取りシートを設置し、その良通水性の水切り袋内に排水に混在する毛ごみ等を収容して、毛ごみ取りシートごと外部に棄捨てできるように構成された毛ごみ取りシートに関するものである。
【背景技術】
【０００２】  従来、浴室の洗い場等に設けられた排水口の排水蓋には、表面に複数の排水間隙を設けた排水蓋や、又は多数の細かい排水孔を設けたシート等が主で、洗い場を排水口に向かって流れる排水は、これらの排水間隙や排水孔を通過して排水管に排出される。
【発明が解決しようとする課題】
【０００３】  しかしながら、これらの排水蓋では、すぐに毛ごみ等が排水間隙や排水孔を塞いでしまい、洗い場を流れる排水を円滑且つ迅速に排水することができなくなり、排水能力を著しく低下させることになる。このような場合に、排水蓋の排水間隙を塞いだ毛ごみ等を除去する際には、手で毟りとったりして非衛生的ある。又シートの排水孔を塞いだ毛ごみ等を除去する際は、シートを剥がして毛ゴミ等を、そのままシートで包んで棄捨てするが、再度排水口をシートで覆う場合、排水口とその周辺の水気、湯垢、汚れを拭き取ってから張り付けている。このことは、時間と手間がかかりはなはだ不便であった。また、現在各企業体が毛ゴミ等で排水孔の詰まりの原因である毛ゴミの対策として、薬品等を使用しており環境的にもあまり良くない。
【課題を解決するための手段】
【０００４】  上記の課題を解決し、その目的を達成する手段として、本発明は、浴室洗い場等の排水口に毛ごみ取りシートを設置し、良通水性の水切り袋内の毛ごみ等を、毛ごみ取りシートごと外部に棄捨てするように構成された毛ごみ取りシートを提供するものである。
【０００５】  本発明にあっては、水切り袋は良通水性の袋を備えているので、水切り袋内に収容された毛ごみ等は外部に逃がさずに、水分だけを外部に排出させることができる。
【実施例】
【０００６】  以下に、本発明の実施例を添付図面に基づいて説明すれば、本発明に係わる毛ごみ取りシートは、浴室の洗い場等の排水に混在する毛ごみ等を収容する良通水性の水切り袋と、浴室の洗い場に設けられた排水口の入口周辺部に設置しうる形状をしたシートとから構成されている。【０００７】  本発明の毛ごみ取りシートは、図１に示されるように、シート１の中央に中空な穴２を有し、その穴２に良通水性の水切り袋３が取付けられている。【０００８】  そして、本発明の毛ごみ取りシート１は、種々の口径の排水口に適応しうる柔軟性のある素材で作られ、図１のリング形状のものに限らず、様々な形状のものでもよい。
【発明の効果】
【０００９】  この発明は、以上説明したように構成されているので、以下に記載されるような効果を奏する。
【００１０】  シート１に取付けられた良通水性の水切り袋３は、その内部に収容される毛ごみ等は外部に逃がさずに、水分だけを外部へ排出させることができる。
【００１１】  そして、シート１の中央に中空な穴２を有していることにより、洗い場の排水口に向かって流れる排水は、渦を巻くようにして大量に流入し、排水を円滑且つ迅速に排水することができ、排水能力を低下させることはない。
【００１２】さらに、浴室の排水口周辺部に設置された毛ごみ取りシートは、シート１と床との間にある湯水の表面張力により、大量の排水がシート１の穴２に流入しても、シート１の位置ズレを生じるおそれはなく、つねに安定性を確保することができると共に、所定の位置に毛ごみ取りシートを配設することができる。
【００１３】  したがって、水切り袋３内に収容された毛ごみ等は、毛ごみ取りシートごと手を汚さずに、容易且つ衛生的に、又不快感を与えることなしに外部に棄捨てることができる利点がある。
【図面の簡単な説明】
【図１】本発明の毛ごみ取りシートの斜視図である。
【図２】シートの斜視図である。
【図３】水切り袋の斜視図である。
【符号の説明】
１はシート
２は穴
３は水切り袋
【図１】
2005171740.tif 000003
【図２】
2005171740.tif 000004
【図３】
2005171740.tif 000005
(57)【要約】【課題】本発明は、点検時、作業時に機械等にマーキング出来る磁石５が作業服１等に付け外し出来る作業服の付属品を提供する。【解決手段】磁石６が付く物、例えば鉄の板６にプラスチック８等を薄くつけるか、塗料により塗装する。また、鉄の板６にクリップ７を設ける。作業服１等の既存の胸ポケット２に、鉄の板６より小さい穴４を設けたポケット３を重ね付け、ポケット３にクリップ７をつけながら入れる。上側はクリップ７によりポケット３に保持され、下側と左右側も、ポケット３に入れることにより保持される。ポケット３の穴４を設けた部分に、鉄の板６があるので、磁石５が直接付く為、落下防止に効果がある。【選択図】図１
2005171461.tif 000002
【特許請求の範囲】
【請求項１】
、磁石５が付く物、例えば鉄の板６等にクリップ７を設ける。また、その鉄の板６等に薄くプラスチック８等をつけるか、塗料で塗装する。作業服１等の胸ポケット２に、鉄の板６より小さい穴４を設けたポケット３を重ね付け、そのポケット３に入れられるようにした作業服１等の付属品。
【請求項２】
鉄の板６等に薄くプラスチック８等をつけるか、塗料で塗装し、安全ピン９か、マジックテープ１２等をつけるか、または両方をつけ、作業服１等へ直接つけられる様にした作業服１等の付属品。
【発明の詳細な説明】
【発明の詳細な説明】
【技術分野】
【０００１】本発明は、作業時、点検時等に機械等にマーキング出来る磁石が、作業服等に付け外し出来る付属品に関する物である。
【背景技術】
【０００２】従来は作業時、点検時等に指差呼称で確認していたが、これでも間違いは多く、事故等も起きていた。
【発明が解決しようとする課題】
【０００３】機械の点検等が終わってからモード等を戻し、指差呼称するが、それでも人間の行う事なので戻し忘れがある。
【課題を解決するための手段】
【０００４】上記問題を解決するために、クリップ７を設けた、磁石５が付く物、例えば鉄の板６等に薄くプラスチック８等をつけるか、塗料で塗装し、作業服１等の既存の胸ポケット２に、鉄の板６より小さい穴４を設けたポケット３を重ね付け、それに入れる。
【発明実施の形態】
【０００５】鉄の板６等にクリップ７を設ける。また、鉄の板６等を保護するために薄くプラスチック８等をつけるか、または塗料で塗装する。作業服１等の胸ポケット２に、もう一つポケット３を重ねつける。重ね付けたポケット３は鉄の板６のクリップ７により上側、また、ポケット３の中に入れることにより下側、左右側の固定に使用される。さらに、そのポケット３に鉄の板６より小さい穴４を設け、磁石５が直接つくようにする。
【実施例】
【０００６】プラスチック８等を薄く鉄の板６等につけるか塗料で塗装し、クリップ７を設けた鉄の板６等を作業服１等で使用するときは、作業服１等の既存のポケット２に鉄の板６より小さい穴４を設けたポケット３を重ね付け、それに鉄の板６のクリップ７により上側、また、ポケット８の中に入れることにより下側、左右側を固定するだけである。
【発明の効果】
【０００７】本実施例によれば、本発明を使用するときは、プラスチック８等を薄くつけるか、塗料で塗装した鉄の板６の下側を、鉄の板６より小さい穴４を設け、作業服１等の既存の胸ポケット２に重ね付けたポケット３に入れ、同時に、鉄の板６に設けたクリップ７をポケット３に装着することにより、鉄の板６の上側が保持され、下側と左右側も穴４を設けたポケット３に入れることにより保持される。また、ポケット３に穴４を設けたことにより、磁石５が直接鉄の板６につく為、磁石５の落下防止に効果がある。また、強力磁石にすると、より効果がある。これらにより、点検前に鉄の板６につけた磁石５を機械に付け、点検後にモードを戻し、その後に磁石６を鉄の板６に戻すことにより、モードの戻し忘れや事故等が防げる。また、ポケット３は既存のポケット２に重ね付ける必要は無く、穴４を設けたポケット３を任意の場所に取り付けることが出来る。そのときに、ポケット３を作業服にマジックテープ１２や、安全ピン９等でつけても良い。その他に、ポケット３にあま蓋１０、またはチャック１１をつけたときには、クリップ７は省いても良い。また、鉄の板６を反転させ、鉄の板６を外側に出し、ポケット３につける場合には、鉄の板６がふらつかないようにクリップ７を長くしてつける。その場合には、ポケット３に穴４をあける必要は無い。さらに、請求項２では、鉄の板６等が安全ピン９か、マジックテープ１２で、または両方をつけることによって、作業服１等に直接つけられるようにした。もちろんマジックテープ１２でつけるときには、作業服のほうにもマジックテープ１２をつける。また、鉄の板６ではなく、磁石５にクリップ７を装着したものなら、そのままポケット２に挿し、機械に貼り付け点検することが出来る。
【図面の簡単な説明】
【図１】本発明の斜視図
【図２】本発明の側面図
【図３】第２の実施例の斜視図
【符号の説明】
１作業服等                    ７クリップ
２既存の胸ポケット            ８プラスチック等
３重ねてつけたポケット        ９安全ピン
４ポケットの穴              １０ポケットのあま蓋
５（強力）磁石              １１チャック
６鉄の板等                  １２マジックテープ
【図１】
2005171461.tif 000003
【図２】
2005171461.tif 000004
【図３】
2005171461.tif 000005
(57)【要約】【課題】  背中の大きく開いた外衣を着用してもブラジャーは見えず、見栄えも良く、軽く、どんな大きさのバストにも対応でき、コストが安く、美しい自然なバストの形に整え、乳輪が見える事も無く、今までのブラジャーでは為し得なかった程のバストアップ効果がある物凄く画期的なブラジャーを作る事である。【解決手段】  本発明は図１の様に厚さ３０μｍ〜１ｍｍポリウレタンフィルムの人体に当接する面に人体に付けても被れにくい医療用のシリコン系粘着剤を接着させ、粘着剤の上に剥離フィルムを貼った物を図２、図３の様なモールドカップブラジャーのカップ部のみの様な形に真空成型する。【選択図】  図６
2005171465.tif 000002
【特許請求の範囲】
【請求項１】
厚さ３０μｍ〜１ｍｍポリウレタンフィルムの人体に当接する面にシリコン系粘着剤を接着させ、その粘着剤の上に剥離フィルム又は剥離紙を貼った物をブラジャーのカップ状に立体的に成型させたバストアップをはかるブラジャー
【請求項２】
厚さ３０μｍ〜１ｍｍポリウレタンフィルムの人体に当接する面にシリコン系粘着剤を接着させた物の代わりに厚さ３０μｍ〜１ｍｍのポリウレタンフィルムの人体に当接する面に厚さ３０μｍ〜１ｍｍオレフィン系ゲル、或いはシリコン系ゲルを接着し更にその上にシリコン系粘着剤を接着させた請求項１に記載のブラジャー
【発明の詳細な説明】
【発明の詳細な説明】
【発明の分野】
【０００１】  この発明は、ブラジャーに関する。
【背景技術】
【０００２】  既存しているブラジャーの装着方法の多くは、胸部から背中に装着するベルト状の物が多く、背中の大きく開いた外衣を着用するとブラジャーが見えてしまう問題点があった。またバストアップ効果の低い物が多かった。【０００３】  また、吸着性のバストパットが既に特開９−２９９３８８、特開２０００−５４２０２で公開されているが、どちらも減圧に伴う吸引力での豊胸を目的としているパットである為、被着面であるバストの大きさがパットのバスト当接面バスト当接面以上の大きさであると、バストパット内の減圧が起こらず、装着が不可能になりバストの形状を復元できない。その為に着用者のバストサイズに制限が起こりやすくなる。またバストを被うように作成されており大きさが大きくなってしまう。またシリコーンゴム製又はポリオレフィン系樹脂製で出来てる為、非常に重い。また吸引型の為、何かの拍子に空気が入ったら一瞬にして外れる為、不安感が残り、その為に既存のバックバンド伴うブラジャーとの併用が好ましくなる為、前述の吸引型のバストパットの単独での使用は困難であった。またバストアップの効果も薄い。またバストの形が自然な形にならなく見栄えが悪い。【０００４】  また、特開２００２−２４２００３のブラジャーはバストアップの効果が薄く、また重かった。またバストの形が自然な形にならなく見栄えが悪い。また、Ｇカップ等の乳房の大きい人用の商品は大きさが大きく非常に重い製品になる為、製品化することが出来なかった。【０００５】  また、シリコンのパットにシリコン性樹脂粘着物を付けたものがあるが、コストが非常に高かった。またシリコン性樹脂粘着物は寿命が短い為、消費者は頻繁に買い替えをしなければならなく、価格の安いものを求めていた。またシリコン製の為重く、着用を続けると肩が凝ったり、乳房が垂れる現象がおこっていた。また、Ｅカップ、Ｆカップ、Ｇカップ等の乳房の大きい人用の商品はシリコンのパットの大きさが大きく非常に重い製品になる為、製品化することが出来なかった。またバストアップの効果も薄かった。【０００６】  また平面のシールの物があるが、それではバストの形を整えられず。見た目が悪かった。また、平面の為、乳房には奇麗に貼れなかった。また、上手く貼れる形にすると、乳輪の部分に穴を空けなければならず、乳輪が見えてしまう為、日本人には抵抗があった。
【発明の課題】
【０００７】  上記の問題を解決したブラジャーを開発することである。
【課題の解決手段】
【０００８】  本発明は図１の様に厚さ３０μｍ〜１ｍｍポリウレタンフィルムの人体に当接する面に人体に付けても被れにくい医療用のシリコン系粘着剤を接着させ、粘着剤の上に剥離フィルムを貼った物を図２、図３の様なモールドカップブラジャーのカップ部のみの様な形に真空成型する。この発明のブラジャーの形は図２とは限らない。例えば図４の様に図２、図３のブラジャーをカットしバストの上部と乳輪部のみを被うような形にしても構わない。また剥離フィルムの代わりに剥離紙を使用しても構わない。また扱いやすくする為、厚さ３０μｍ〜１ｍｍポリウレタンフィルムの代わりに図５のように厚さ３０μｍ〜１ｍｍのポリウレタンフィルムに厚さ３０μｍ〜１ｍｍオレフィン系ゲル、或いはシリコン系ゲルを接着したものを使用しても構わない。剥離フィルム又は剥離紙は、通常のシールと同じ様に、この発明の商品を使用する時に剥がす。通常のシールに付いている剥離フィルム又は剥離紙と同じ働きをするものである。
【実施の形態】
【０００９】  本発明の実施の形態の一例を添付図面に基いて説明する。
【００１０】  図２、図４に記載されている点Ｃと点Ｄを結ぶ線より上部をＡ、下部をＢとすると、この発明の商品は大きく分けて乳房部分の下部から中部にかけて貼り付けるＢの部分と乳房部分の上部からそれより上部に貼り付けるＡの部分からなっている。まず、剥離フィルムを剥がしＢの部分を乳房に貼り付ける。そしてＡの部分を乳房が持ち上がるように上方向へ少し引っ張りながら貼り付けて着用する。
【発明の効果】
【００１１】  この発明のブラジャーを着用すると背中の大きく開いた外衣を着用してもブラジャーは見えず、見栄えも良く、軽く、どんな大きさのバストにも対応でき、粘着剤も医療用等で使用されている肌に優しい粘着剤を使用している為、快適である。また画期的にコストが下がる為、使い捨てとしての販売も可能であり、洗濯する手間も省ける。また薄いポリウレタンフィルムを使用している為、柔らかく適度な伸びがあり、自然なバストの形になり、運動しても自然なバストの揺れになる。また、バストの形を美しく整え、乳輪が見える事も無く、立体の形の為、乳房にも奇麗に貼れ、今までのブラジャーでは為し得なかった程のバストアップ効果がある物凄く画期的なブラジャーが完成した。
【図面の簡単な説明】
【図１】この発明のブラジャーで使用する素材の断面図。
【図２】この発明のブラジャーの図。
【図３】この発明のブラジャーを図２の点Ｅと点Ｆで結ぶ直線で切断した断面図。
【図４】この発明のブラジャーの図。
【図５】この発明のブラジャーで使用する素材の断面図。
【図６】この発明のブラジャーの着用例。
【図７】この発明のブラジャーの着用例。
【符号の説明】
１  ポリウレタンフィルム
２  粘着剤
３  剥離フィルム
４  シリコン系ゲル又はオレフィン系ゲル
【図１】
2005171465.tif 000003
【図２】
2005171465.tif 000004
【図３】
2005171465.tif 000005
【図４】
2005171465.tif 000006
【図５】
2005171465.tif 000007
【図６】
2005171465.tif 000008
【図７】
2005171465.tif 000009
(57)【要約】【課題】  おんぶ紐を使用して子供を背負う際に、たすき掛けになる胸元の見た目の悪さを解消し、またお洒落感を損なわない上着を提供する。【解決手段】  上着の後身頃に開口部を設けて背中心で切り離し、開口部の上部と下部に留め具を設ける。以上を、特徴とするおんぶ用上着である。【選択図】図１
2005171463.tif 000002
【特許請求の範囲】
【請求項１】
上着の後身頃に開口部を設け背中心で切り離し、開口部の上部と下部に留め具を設けたことを特徴とするおんぶ用上着。
【請求項２】
開口部の下部のみ背中心で切り離した請求項１のおんぶ用上着。
【発明の詳細な説明】
【技術分野】
【０００１】  本発明は、外観から赤ちゃんのおんぶ紐が装着されていることが見えないようにした、おんぶ用上着に関するものである。
【背景技術】
【０００２】  従来、赤ちゃんをおんぶするときは、Ｔシャツ、セーター等の衣類を着た後におんぶ紐を使いおんぶしていた。
【発明の開示】
【発明が解決しようとする課題】
【０００３】  そのために次のような問題点があった。
おんぶ紐が胸元でたすき掛けになるため、バストがふくらみ強調された状態になるので、そのままおんぶして外出すると、気恥ずかしい思いをすることが多かった。したがって、従来型のおんぶ紐を使用する女性が少なくなった。
本発明はそういった問題点を解決しようとするものである。
【課題を解決するための手段】
【０００４】  上着の後身頃に開口部を設け背中心で切り離し、開口部の上部と下部に留め具を設ける。以上を、特徴とするおんぶ用上着である。
【発明の効果】
【０００５】  本発明は、従来のおんぶ紐を使用する際に生じる胸元の締め付けによる見た目の悪さを解消し、また前から見ておんぶした感じがなく、現代女性のお洒落感を損なうことなく使用できる。
【発明を実施するための最良の形態】
【０００６】  以下、本発明の実施の形態を説明する。
（イ）後身頃（１）に子供を背負う部分の開口部（２）を設けた上で、背中心より切り離し、右後身頃（３）と左後身頃（４）を設ける。
（ロ）それぞれの後身頃の首の部分（５）・腰の部分（６）に留め具（７）を設ける。
（ハ）留め具については、「面テープ」「スナップ・ボタン」「ボタン」など、様々な留め具があり、必要に応じ選択して使用する。
本発明は、以上の構成よりなっている。
本発明を使用するときは、まずおんぶ紐にて赤ちゃんを通常通り背負った後、おんぶ用上着の袖に手を通し、離れている首・腰部分を後ろで留め具を使用してとじる。この結果、前から見た状態で胸元のたすき掛け部分が完全に隠され、全く人目を気にすることなく使用することができる。
この状態で赤ちゃんをおろす場合は、おんぶ用上着の首の部分と腰の部分の留め具をはずし、おんぶ紐をゆるめることで可能となる。
本発明については、図面上、ベストでの形態を示したが、これが長袖であっても半袖であっても使用効果は同じであることは当然である。
また開口部の下部のみを切り離し、首はそのままかぶるといった形態の請求項２の場合でも、同様の効果があげられる。
【図面の簡単な説明】
【０００７】
【図１】本発明の背面図
【図２】本発明の分解図。▲ａ▼は前身頃の説明図。▲ｂ▼は後身頃の説明図。
【図３】本発明の使用状態を示す斜視図。▲ａ▼は使用状態を示す後方からの説明図。▲ｂ▼は使用状態を示す前方からの説明図。
【図４】本発明の他の実施例の背面図。
【図５】本発明の他の実施例の分解図。▲ａ▼は前身頃の説明図。▲ｂ▼は後身頃の説明図。
【符号の説明】
【０００８】  １  後身頃
２  開口部
３  右後身頃
４  左後身頃
５  首部分
６  腰部分
７  留め具
８  前身頃
９  おんぶ紐
１０  まち
【図１】
2005171463.tif 000003
【図２】
2005171463.tif 000004
【図３】
2005171463.tif 000005
【図４】
2005171463.tif 000006
【図５】
2005171463.tif 000007
(57)【要約】【課題】  従来、苧麻繊維は、繊維の結晶度が高く、硬さが特徴であるが、硬さが製品にまで及び、欠点として取り上げられている。一般的に最近では、硬さより柔軟性が要求されるようになり、本質的に軟らかさの追求を方法を考えた。【解決手段】  これを解決するために、剥皮原料精練時に、苛性ソーダーにペルオキソ硫酸塩を添加し、その酸化電位差を利用して、繊維細胞間の中間層、繊維細胞第１次層を破壊、弛緩させて、繊維を膨潤させて柔軟にし、紡績、織布により、業界の要望する、柔軟な製品を得るにある。【特許請求の範囲】
【請求項１】
苧麻の剥皮原料をペルオキソ硫酸ナトリュウム、ペルオキソ硫酸ナフタリン（以後両者をペルオキソ硫酸塩と呼称する）を含むアルカリ性水溶液で処理することを特徴とする苧麻の精練方法。
【発明の詳細な説明】
【技術分野】
【背景技術】
【０００１】従来、苧麻植物繊維は、植物の収穫後、剥皮、乾燥をして、アルカリ精練を実施しているが、繊維の粗剛なため再三の繰り返し精練を行わなければならない。【０００２】しかし、繊維細胞の所有する物理的性質は変革出来ない。本発明はこれらの障害を除き、細胞皮膜第一次層を破壊、第二次層外層を弛緩して繊維を膨潤させて、角を落とし、柔軟な単繊維を得るにある。
【発明の開示】
【課題を解決しようとする手段】
【０００３】従来苧麻剥皮原料の精練には、すべてがアルカリ剤を使用し、若干の浸透剤、水質軟化剤などを混用する。この精練方法では、苧麻靭剥皮原料が含有する中間物の除去すら完全に行うことが困難な状況にあるが、本発明の方法により、細胞膜第１次層を除去、弛緩することにより、繊維は膨潤する。
【０００４】その手法の一例を挙げれば次のようである。苧麻剥皮原料を２〜３ｋｇに結束して、３０００ｌ容の釜に７００ｋｇを詰め込み、アルカリ剤７０ｋｇ、ペルオキソ硫酸塩２１ｋｇ、及び、浸透剤２．１ｋｇを投入し、常温より徐々に温度を上げ６０分後６０℃となし、３０分後に９８℃まで温度を上げ、１８０分の加熱をする。
以後の工程は、一般工程に準ずる。
【発明の効果】
【０００５】前記の工程は一例にすぎないが、濃度、浴比などの条件変化に伴い、幾分かのペルオキソ硫酸塩の使用量の増減はある。
【０００６】その効果は、第２図に示す、中間層の除去、繊維細胞膜第一次層の破壊、第２次層の外層を弛緩し，繊維層まで浸透する反応するので、繊維層は膨潤し、表面の角が消滅し、且つ柔軟になる。
【０００７】本発明の効果として、精練の昇温度を徐々に上げ、６０℃にて、酸化精練の効果を出し、その後は、アルカリにて精練効果を出すもので、１浴にて、酸化精練、アルカリ精練の２種の工程が実施出来る。
【発明の効果】
【０００８】図３の状態は剥皮原料の中間層１のある状態で、従来の精練では、図１で示すよう中間層１の除去は出来る。
図２は本発明方法により精練したもので、中間層１及び繊維細胞膜第一次層６は除去され、破壊される。
外層２が表面になり、繊維層３は膨潤する。同時に中空５は圧縮され小さくなる。
【０００９】結果、単繊維は柔軟性を発揮し、本工程完了後の原料による紡績糸は従来の紡績糸に比較し、２９％の柔軟性を作り出した。
【００１０】この結果、製織後の生地はより柔軟性を発揮し、紡績糸のセリプレン検定では、毛羽は少なく、且つ柔軟であり，肌に対して刺激もすくなく、ドレープ性が向上し、今ま１になかった用途の開発が可能になった。
【発明を実施するための最良の形態】
【００１１】ペルオキソ硫酸塩は比較的に安定した化合物で、酸化作用も緩慢な反応であるが、保管については、６０℃で分解を起こすので、安全性の面から、室温以下で保管する事が，肝要である。
本剤は，亡硝と２：８にて混合保管している。【００１２】ペルオキソ硫酸塩はＰＨ、温度などにより酸化電位基準が移動するので、作業に当たっては、基準の管理を充分にする必要がある。
繊維に対して、酸化力には、亜塩素酸ソーダーや次亜塩素酸ソーダーよりも安全性がある。【００１３】実例１
鉄製容器については、金属イオン封鎖剤を使用すれば、安全であるが、ステレス製が望ましい。【００１４】実例２
従来、繊維素繊維の酸化電位は４００〜８００ｍＶであり、ペルオキソ硫酸塩はアルカリ中では２８０〜４００ｍＶである。【００１５】実例３
酸化電位差による酸化精錬が、繊維細胞膜第１次層の破壊、弛緩に効果的である。
苧麻剥皮原料から採繊をするには、綿花やカポックと異なり、繊維の周囲にある中間層を除去する必要がある。これを精練工程と言うが、この精練が以後の工程に影響を及ぼす。本発明による実績を示す。
▲１▼精練条件は３０００ｌ容の釜に結束した原料７００ｋｇの剥皮原料を詰め込み、苛性ソーダーを７０ｋｇ、ペルオキソ硫酸塩を２１ｋｇ，中性洗剤２．１ｋｇ、を投入する。
▲２▼加熱については６０℃まで６０分、６０℃で３０分、３０分後に９８℃として１８０分後に水洗をする。【００１６】実例４
上記原料による紡績結果は現行品と品質上の格差はなく紡績糸は同条件により紡績したにもかかわらず、２９％の柔軟性が付与された。【００１７】実例５
経時的変化、紫外線による強力の低下については、従来の製品との差はなく、両者共に品質上の物性は同一視される。
【産業上の利用可能性】
【００１８】本来、苧麻繊維は硬質繊維の代表で、歴史的には充分な価値はあるのであるが、文明の進歩には硬質繊維は衣料に適用される範囲が非常に少なくなっている。
苧麻繊維の用途が狭められている。
この柔軟方法により、硬質の主因である、繊維細胞膜第一次層の破壊や弛緩により、柔軟化、膨潤化し、基本的な用途が広範囲に開発される。【００１９】柔軟性が、可紡性を高め、細番手の紡出、麻製品の均一性、柔軟性などに寄与し紡績産業には、最適である。【００２０】２９％の柔軟性を付与されると、婦人服地などのドレープ性が向上し、衣料関係や編み物と新用途が開発される。【００２１】細胞膜第一次層を破壊しているので、染色性が向上した。【００２２】従来、２回繰り返していた精練工程が、半減され人件費、補助材料の節約が出来る。【００２３】ペルオキソ硫酸塩は粉末とし、亡硝との混合により安全性を維持する。
【図面の簡単な説明】
【図１】顕微鏡下の標準精練苧麻単繊維横断面、顕微鏡下の写生であって、普通の精練工程を経た苧麻繊維細胞の横断面の図であって、細胞周囲には角が多い。繊維細胞第一次層６が残っている。本発明により、繊維細胞第一次層６を破壊、弛緩させる。且つ繊維層３を膨潤させるので、中心にある中空５は縮小する。
【図２】ペルオキソ硫酸塩処理による膨潤した苧麻単繊維断面。繊維細胞第一次層６を破壊、弛緩し、外層２が表面に出る。一部に繊維細胞第次層６の残留があるが、これは以後の工程により除去される。外層２は繊維層３の膨潤により内圧により外層２に丸味を与える。
【図３】苧麻剥皮原料の繊維の横断面状態。中間層１、即ち膠着物が単繊維を結合して、繊維束を形成している。普通の精練では、この中間層１の除去すら困難である。
【図１】
2005171462.tif 000002
【図２】
2005171462.tif 000003
【図３】
2005171462.tif 000004
(57)【要約】【課題】  従来、衣料品の上衣の衿は身体の首に直接当たり汚れるものであった。【解決手段】  衣料品の上衣の衿に、取外し式衿汚れ防止布を取り付けたものである。【選択図】  図１
2005171467.tif 000002
【特許請求の範囲】
【請求項１】
衣料品の上衣の衿部分に穴を開け、別布を釦で取外し出来るようにした上衣
【発明の詳細な説明】
【発明の詳細な説明】
【技術分野】
【０００１】  本発明は、衣料品の上衣の衿部分に穴を開け、別布を釦で取り付ける事で、着用時に身体の首が衣料品の上衣の衿部分に直接触れることが無く上衣の衿を汚すことを防止するようにしたものである。
【背景技術】
【０００２】  従来、衣料品の上衣の衿は身体の首に直接当たり汚れるものである。
【発明の実施形態】
【０００３】  本発明は、衣料品の上衣の衿に、取外し式衿汚れ防止布を取り付けたものである。それを図面について説明すれば、衣料品の上衣の衿１に穴２を開け、取外し式衿汚れ防止布３に付けた釦４で、衣料品の上衣の衿に取り付けたものである。
【発明の効果】
【０００４】  このようにすれば、身体の首が衣料品の上衣の衿に直接に触れることが無く、取外し式衿汚れ防止布に汚れが付着する。そして、汚れた取外し式衿汚れ防止布のみ洗えば良いので、衣料品の上衣を洗う回数も減り、又、衿の汚れを取るために強力な洗剤をつける必要性も無くなり、衣料品の上衣の傷みも軽減される。
【図面の簡単な説明】
【図１】取外し式衿汚れ防止布を取り付けた衣料品の上衣の斜視図である。
【図２】衣料品の上衣の衿の正面図である。
【図３】取外し式衿汚れ防止布の正面図である。
【図４】取外し式衿汚れ防止布の背面図である。
【符号の説明】
１  衣料品の上衣の衿
２  穴
３  取外し式衿汚れ防止布
４  釦
【図１】
2005171467.tif 000003
【図２】
2005171467.tif 000004
【図３】
2005171467.tif 000005
【図４】
2005171467.tif 000006
(57)【要約】【課題】冬の寒い時期などに、ひざかけを用いた際の腹部から太もも内側の冷えを解消するために、保温具（カイロ）を収納するポケット付きのひざかけを提供する。【解決手段】ひざかけ本体裏側１に腹部ポケット５と太もも部ポケット９をとりつけることによって、ポケットの中にカイロなどの保温具を入れて、ひざかけを暖かく使用できるようにする。【選択図】図１
2005171468.tif 000002
【特許請求の範囲】
【請求項１】
太もも内側にあたる部分にカイロが収納できるポケットを設けたことを特徴とするカイロ収納ポケットつきひざかけ。
【請求項２】
腹部にあたる部分にカイロが収納できるポケットを設けたことを特徴とするカイロ収納ポケットつきひざかけ。
【発明の詳細な説明】
【技術分野】
【０００１】  本発明は、太ももの内側と、腹部の冷えを解決するために、太もも内側にあたる部分と腹部のあたる部分に、それぞれポケットをとりつけ、そこにカイロなどを入れて暖かく使用できるようにし、また、裏地をつけてポケットや縫い目が表側から見えないようにしたひざかけに関するものである。
【背景技術】
【０００２】  従来のひざかけは、布地の性質によって冷えた空気を遮断し冷えを防ぐものであった。
【発明の開示】
【発明が解決しようとする課題】
【０００３】  しかしながら、冬の寒い時期など、冷えた空気を遮断するだけでは暖まるのに時間がかかり、カイロなどの保温具を使用したい場合も、太もも内側部分や腹部への使用は人目が気になる上に、体を動かした際にカイロが落ちるという難点があった。
本発明は、この課題を解消するためになされたものである。
【課題を解決するための手段】
【０００４】  以上の課題を解決するために、第一発明は、ひざかけ本体裏側１に太もも部ポケット９をとりつけることによって、ポケットの中にカイロなどの保温具を入れ、太もも内側の冷えを防ぎ、暖かく使用できるようにしたひざかけである。
また、第二発明は、ひざかけ本体裏側１に腹部ポケット５をとりつけることによって、ポケットの中にカイロなどの保温具を入れ、腹部の冷えを防ぎ、暖かく使用できるようにしたひざかけである。
第一発明の太もも部ポケット９と、第二発明の腹部ポケット５を、どちらもひざかけ本体裏地１にとりつけることによって、使用時にひざかけ本体表側２からはポケットや縫い目が見えない構造を備えたひざかけである。
【発明を実施するための最良の形態】
【０００５】  以下、本発明の実施の形態について説明する。
（イ）．カイロ入れ口７の部分を冠着し、腹部ポケット５をつくる。同様に、カイロ入          れ口１１の部分を冠着し、太もも部ポケット９をつくる。
（ロ）．ひざかけ本体裏側１に腹部ポケット５を腹部ポケットとりつけ線６に沿って縫          いつける。この時、ひも通し８も一緒に縫いつける。同様に、太もも部ポケッ          ト９を太もも部ポケットとりつけ線１０に沿って縫いつける。この時、ひも１          ２も一緒に縫いつける。
（ハ）．ひざかけ本体裏側１とひざかけ本体表側２を、ひざかけ本体縫いとり線４に沿          って縫いあわせる。
【発明の効果】
【０００６】  第一発明、または第二発明によれば、寒い時期でも、腹部ポケット５と太もも部ポケット９にカイロなどの保温具を入れておくことで、短い時間で冷えを防ぎ、暖かい。しかも表側からはカイロを使用している事が分からず、ポケットに収納してあるため落下の心配もない。その上、ひざかけの位置をずらすことで、太ももからひざにかけて暖めたい部分に自由にカイロを移動させることができる。カイロを使用しない際に、太もも部ポケット９をカイロ入れ口１１に折り込んで、ひも通し８にひも１２を結ぶと、太もも部ポケット９の揺れがなくなり、持ち運びや収納が行いやすい。
【図面の簡単な説明】
【０００７】
【図１】本発明の正面図である。
【図２】本発明の使用状態を示す説明図である。
【図３】本発明のポケットの斜面図である。
【図４】本発明のポケットの収納状態を示す説明図である。
【図５】本発明の使用状態を示す断面図である。
【符号の説明】
【０００８】  １  ひざかけ本体裏側
２  ひざかけ本体表側
３  ひざかけ本体開口部
４  ひざかけ本体縫いとり線
５  腹部ポケット
６  腹部ポケットとりつけ線
７  カイロ入れ口
８  ひも通し
９  太もも部ポケット
１０  太もも部ポケットとりつけ線
１１  カイロ入れ口
１２  ひも
【図１】
2005171468.tif 000003
【図２】
2005171468.tif 000004
【図３】
2005171468.tif 000005
【図４】
2005171468.tif 000006
【図５】
2005171468.tif 000007
(57)【要約】【課題】  糸通しの穴を、２本あけたビーズを提供する。【解決手段】  ビーズにあいている糸通しの穴にビーズの中心で直角に交わるように、もう１本、糸通しの穴をあけることを特徴とするビーズ。【選択図】  図１
2005171459.tif 000002
【特許請求の範囲】
【請求項１】
ビーズにあいている糸通しの穴にビーズの中心で直角に交わるように、もう１本、糸通しの穴をあけることを特徴とするビーズ。
【発明の詳細な説明】
【技術分野】
【０００１】  本発明は、糸通しの穴を２本あけたビーズに関するものである。
【背景技術】
【０００２】  従来、手芸用のビーズの糸通しの穴は、１個につき、１本であった。
【発明の開示】
【発明が解決しようとする課題】
【０００３】  そのために次のような問題点があった。
（イ）糸通しの穴が、ビーズ１個に１本しかあいていないため、縦どうしはつながるが        同時に横どうしには、つなげられなかった。
（ロ）そのためにできあがりは、縦につなげたビーズの１本ラインか、ビーズの編み方        により、多少、平面的なものしかできず、立体的な形状をつくるには、無理があ        った。
本発明は、これらの問題点を解決するためになされたものである。
【課題を解決するための手段】
【０００４】  ビーズにあいている糸通しの穴にビーズの中心で直角に交わるように、もう１本、糸通しの穴をあける。以上を特徴とするビーズである。
【発明の効果】
【０００５】  従来、ビーズの穴は、２つしかあいていなかったが、２本の穴をあける事により、ビーズ玉の前後左右、４つの穴があき、今までは、ビーズを縦につなげた１本ラインか、多少、平面的なビーズの形状しかできなかったが、これを使用することにより、立体的な形状を作ることが、簡単にできるようになる。
【発明を実施するための最良の形態】
【０００６】  以下、本発明の実施の形態について説明する。
（イ）ビーズ（１）の糸通しの穴（２）にビーズの中心で直角に交わるように別の糸通        しの穴をあける。
（ロ）従来のビーズの穴は２つだったが、糸通しの穴を２本あける事により、穴（３）        は４つになる。
本発明は以上のような構成で、これを使用するときは、ビーズ（１）のそれぞれの糸通し穴（２）に縦方向、横方向から糸を通して、前後左右、縦、横をつなげ、好きな形を作ることができる。今までは、１本のラインを作ることが主だったビーズの形状も前後左右につなげて、平面を作ることができ、また、それを上下に組み合わせることにより、三次元の立体的な形が、簡単に作ることができる。
【図面の簡単な説明】
【０００７】
【図１】本発明の正面図
【図２】本発明の一部を切り欠いた側面図
【符号の説明】
【０００８】      １  ビーズ
２  糸通しの穴
３  穴
【図１】
2005171459.tif 000003
【図２】
2005171459.tif 000004
(57)【要約】【課題】昨今の、のぞき、盗撮、下着泥棒、ストーカー犯罪等の増加で、プライバシーが侵され個人の生活が脅かされて、最も生活の基盤となる住空間の環境の大事さを取り戻すために、バルコニー等の外部空間を利用して、支柱を立てて羽の角度を調整して外部からの視線を遮る。また、住人にとっても、便利なようにブラインドの羽の上下移動と角度の調整によって、布団を干すことも、景観の観賞もできる。最大の問題である風雨の心配もブラインドの羽の両端に支柱を掴める枠材を付けて、支柱を外れないようにして、上下に移動できるようにしている。【解決手段】バルコニー等の手摺15,16等部分に平行に支柱2を両側に立てて、支柱2の間に、角度調整、上下移動のできるブラインドを取付ける。ブラインドは、羽1の両側に支柱を掴める枠材14を付け、支柱2を外れる事の無い様にする。【選択図】図１
2005171489.tif 000002
【特許請求の範囲】
【請求項１】
バルコニー等で、両側に支柱を立てて設置できるようにしたブラインド
【請求項２】
ブラインドの羽の両端に支柱を掴める形の枠材を付けて羽が上下に移動しても支柱から外れないようにして風雨に耐えられるようにしたブラインド
【発明の詳細な説明】
【技術分野】
【０００１】
本発明は、ブラインドの両端に支柱を立てて、バルコニー等に設置できるようにし、ブラインドの羽の両端に支柱を掴める形の枠材を付けて、支柱から外れないようにして、通常の風雨に耐え、支柱をブラインドの羽の支柱を掴める枠材が、上下に移動できるようにし、バルコニー等の手摺に布団を干したり、羽の角度調整によってプライバシーを守るようにしたものである。またブラインドの内側に洗濯物を干しても近隣の視線にさらされることも少ない。風も通るし、室内からの圧迫感も緩和されて余裕のある生活空間を実現できる。室内から離れたところに設置し、羽の角度を調整することによって昼夜に限らず、近隣の視線は、かなり遮ることができる。
【背景技術】
【０００２】
従来、プライバシーを守るためにブラインド、カーテンがもっとも普及しているが、両者にはどちらも補えない欠点がある。ブラインドは、羽の方向を変えることで光の調整とプライバシーの保護を目的としているが、近年は、近隣の建物が高層化していて羽の方向によっては、上からのプライバシーは保護することができない。また建具を開放しているときの風の強さによって、ブラインドが揺れ動き、精神的に落ち着かない。以上のようにブラインドでは、光の調整ができるだけである。レースのカーテンは、このカーテンを通して近隣の景観を見ることができるが、外部からも透けて見えるため、絶対見られないとは限らない。特に夜は、昼間以上に室内の照明の関係から透けて見える。またカーテンもブラインドと同様、風の強さによって揺れ動き精神的に落ち着かない。このように両者とも欠点がある。またガラリも角度の調整はできるが、移動できないので手摺等に布団等を掛けて干すということなど、とうていできないのである。
【発明の開示】
【発明が解決しようとする課題】
【０００３】
解決しようとする問題点は、ブラインド、カーテン、ガラリ等の長所をすべて取り入れて、近年の問題点である、のぞき、盗撮、下着泥棒等から最も安定を求める住空間に、やすらぎと活力を見出したいということである。
【課題を解決するための手段】
【０００４】
本発明は、バルコニー等に、両端に支柱を立てて、その間に少しの風雨でも外れない両端に支柱を掴める枠材のあるブラインドを設けて、ブラインドの羽を上下に移動したり、羽の角度を変えたりできるようにして、近隣からの視線を遮ろうとしたものである。
【発明の効果】
【０００５】
本発明のブラインドのように、開口部から離れた位置に設置することによって住空間の広がりを感じ、離れたことによって室内の様子が見えにくくなる。またブラインドの両端に支柱を掴める枠材を付け、支柱を外れないように上下に滑ることができることによって、少々の風雨に耐え、ブラインドが上下に異動できることで手摺等の部分に布団を干したり、洗濯物を他人の目にさらさないようにすることもできる。ブラインドが、揺れ動かないことで、精神的にも落ち着いて過ごすこともできる。最近の建物の高層化により上部からのプライバシーの侵害も気をつけなければならないが、このように開口部から離れた位置に設置することでかなり防げる。風を取り入れる為の建具等の開口部を開けたままでも、ブラインドの羽の角度の調整によってプライバシーを守ることができる。このように住空間の安らぎを得ることが、充分にできるのである。
【発明を実施するための最良の形態】
【０００６】
本発明は、外部に取付けられなかったブラインドを、外部に取付け、建具等の開口部を開けたままでも、景観を見れて外部からの視界も遮ることができるようになったブラインドで、それを図面について説明すれば、支柱2を、両端に立てることで、独立して設置でき、その支柱2部分にブラインドの羽1の両端の支柱を掴める枠材14を入れて上下に移動できるようにすることと、羽1の角度を調整することで、外部からの視線を遮ったり、景観の展望をすることができるものである。さらに、ブラインドの羽の両端に支柱を掴める枠材14を設けて、支柱2から外れないようにしたため、少々の風雨にも耐えられるようにしたものである。
【図面の簡単な説明】
【０００７】
【図１】手摺等の内側に取付けるときのブラインド全体の立面図である。
【図２】支柱部分のブラインドの羽の両端の支柱を掴める枠材の納まり図である。
【図３】ブラインドの羽の両端の支柱を掴める枠材部分の平面図である。
【図４】ブラインドの羽の両端の支柱を掴める枠材部分の断面図である。
【図５】ブラインドの羽の両端の支柱を掴める枠材部分の回転部分と羽の断面図である。
【図６】手摺等の上部に取付けるときのブラインドの全体の立面図である。
【符号の説明】
【０００８】
１    ブラインドの羽
２    支柱
３    上枠
４    下枠
５    ブラインドの羽の角度調整用コード
6          
ブラインドの振れ止め
7          
上下、角度調整用紐又は金物
8          
上下、角度調整用握り玉
9          
ブラインド収納用カバー
10       上部用アジャスター
11       上部用クッション材
12       下部用アジャスター
13       下部用金物
14       ブラインドの羽の両端の支柱を掴める枠材
15       バルコニー等の堅固な手摺壁
16       バルコニー等のアルミ等でできている手摺
17       手摺掴み金物
18       支柱を掴める枠材の回転部
【図１】
2005171489.tif 000003
【図２】
2005171489.tif 000004
【図３】
2005171489.tif 000005
【図４】
2005171489.tif 000006
【図５】
2005171489.tif 000007
【図６】
2005171489.tif 000008